(57)【要約】【課題】外装材を支持する水平部に、地震などによって、下方から突き上げる強い力が加わった場合においても、水平部が上方に折れ曲がることがない外装材の取付金具を提供する。【解決手段】一枚の金属板を折り曲げ加工して形成され、建物の外壁面に板状の外装材１を取り付けるための取付金具１０であって、建物躯体４１側への固定部である基板部１１と、基板部１１の左右側端部における側板部１２と、側板部１２の先端を基板部とほぼ平行に折り曲げて形成した上下方向の外装材裏面支持部１３と、基板部１１の下端から水平方向に折り曲げて形成した水平部１５とを備え、側板部１２および外装材裏面支持部１３の少なくとも一方に切り込み２２を形成し、切り込み２２に水平部１５の両端部１５ａを嵌入させた。【選択図】図１
2008261125.tif 000002
【特許請求の範囲】
【請求項１】
一枚の金属板を折り曲げ加工して形成され、建物の外壁面に板状の外装材を取り付けるための取付金具であって、
建物躯体側への固定部である基板部と、基板部の左右側端部における側板部と、側板部の先端を基板部とほぼ平行に折り曲げて形成した上下方向の外装材裏面支持部と、基板部の下端から水平方向に折り曲げて形成した水平部とを備え、
前記側板部および外装材裏面支持部の少なくとも一方に切り込みを形成し、該切り込みに前記水平部の両端部を嵌入させたことを特徴とする外装材の取付金具。
【請求項２】
前記切り込みは、前記側板部と外装材裏面支持部にまたがって形成されていることを特徴とする請求項１記載の外装材の取付金具。
【請求項３】
前記切り込みは、前記外装材裏面支持部の端部まで伸びていることを特徴とする請求項１または２記載の外装材の取付金具。
【請求項４】
前記水平部の左右の先端から斜め上方に折り曲げて形成した立ち上がり部を備えたことを特徴とする請求項１乃至３のいずれか１項に記載の外装材の取付金具。
【請求項５】
前記水平部の中央部の先端から斜め下方に折り曲げて形成した前面板部を備えたことを特徴とする請求項１乃至４のいずれか１項に記載の外装材の取付金具。
【請求項６】
前記外装材裏面支持部の下端に、前記基板部と反対側に折り曲げて前方に突出する突出部を形成し、
該突出部は外装材を取り付けたとき外装材の裏面に圧接するようになっていることを特徴とする請求項１乃至５のいずれか１項に記載の外装材の取付金具。
【発明の詳細な説明】
【技術分野】
【０００１】
本発明は、外装材の取付金具に係り、特に建物の外壁面に板状の外装材（外壁板）を取り付けるための取付金具に関するものである。
【背景技術】
【０００２】
近年、サイディングと称される同一規格の板状の外装材（外壁板）を建物の外壁面に貼り付けて建物の外観を形成することが広く行われている。サイディングは、工場で大量生成されるため、品質は均一で価格は比較的安く、またタイル風，石積み風，板張り風等とデザインバリエーションが豊富であるため、広く用いられている。
また、阪神・淡路大震災の後、地震や火事に強い高耐久住宅が普及するにつれて、金属系サイディングや窯業系サイディングが広く用いられるようになってきた。このようなサイディングは、取付金具（留め付け金具）を用いて建物の外壁面に固定されている。
【０００３】
図９は、外装材（サイディング）を取付金具を用いて建物の外壁に取り付ける状態を示す斜視図である。図９に示すように、外装材（サイディング）１は、取付金具（留め付け金具）５０を用いて建物躯体４１（柱、間柱等）に固定されている。
【０００４】
図１０は、従来の取付金具（留め付け金具）５０を示す斜視図である。
取付金具５０は、例えばステンレス鋼板あるいは合金メッキ鋼板などの一枚の金属板からの打ち抜きと折り曲げ加工により形成される。取付金具５０は、躯体側への固定部となる平板状の基板部５１と、基板部５１の左右方向の両端をほぼ９０゜折り曲げて形成した上下方向の側板部５２，５２と、該側板部５２，５２の先端を基板部５１とほぼ平行となるように折り曲げて形成した上下方向の外装材裏面支持部５３，５３とを備えている。さらに、取付金具５０は、基板部５１の下側の領域を折り曲げ加工して形成した支承部５４を備える。支承部５４は、上下２枚の外装材（外壁材）１の上下縁部を支持する機能を有している。
【０００５】
支承部５４は、基板部５１の下端部を前方に９０゜折り曲げて形成した水平部５５と、該水平部５５の左右の先端から斜め上方に折り曲げて形成した左右の立ち上がり部５６，５６と、該水平部５５の中央部の先端から斜め下方に折り曲げて形成した前面板部５７とで構成されている。水平部５５は、外装材１の下端を支持する機能を有している。
【０００６】
左右の外装材裏面支持部５３，５３は同一の形状であり、次のようにして形成される。すなわち、基板部５１と水平部５５の折り曲げ部の延長上の部位には切り欠き５８が形成されており、基板部５１から側板部５２を折り曲げて、さらに前記切り欠き５８より上位の部分は外側に向けて基板部５１と平行となるように折り曲げて外装材裏面支持部５３を形成し、切り欠き５８より下位の部分は内側に向けて基板部５１と平行となるように折り曲げて、水平部支持部５９を形成している。
【０００７】
図１１は、図１０のXI-XI線矢視図であり、水平部５５と、一方の水平支持部５９との関係を示す図である。図１１に示すように、水平支持部５９は水平部５５の裏面直下に位置している。
【０００８】
前記切り欠き５８より上位の外装材裏面支持部５３と下位の水平部支持部５９は、共に基板部５１と平行状態とされており、外装材１を取り付けた状態では、双方とも当該外装材１の裏面側を支承する機能を果たすことができる。下位の水平部支持部５９は内側に折り曲げられていることにより、その上端縁は水平部５５の裏面直下に位置しており、水平部５５が下方に折れ曲がろうとするときに、バックアップ機能を果たすことができる。
【０００９】
図１０に示す取付金具５０においては、基板部５１には、固定用のビス孔６０が形成されている。また、ビス孔６０の上方には、基板部５１および側板部５２にわたるようにして補強用のリブ５１ｂが水平方向に形成されており、基板部５１と水平部５５のコーナー部にも同様に補強用のリブ５１ｃが形成されている。さらに、側板部５２にも縦方向に補強用のリブ５２ａが形成されている。基板部５１は支承部５４を構成する水平部５５の領域に一部入り込んだ部分５１ａを有しており、基板部５１の有効面積を大きくして、建物躯体への取り付け時の安定性を確保するようにしている。
【００１０】
図１２は、図１０に示す取付金具（留め付け金具）５０を用いて外装材（サイディング）１を取り付けた状態を示す断面図である。図１２に示すように、取付金具５０は、基板部５１に形成したビス孔６０を利用して、建物躯体４１にビス４３によって固定される。これにより、取付金具５０により、上下２枚の外装材１Ａ，１Ｂの上下縁部を支持するようになっている。その際に、下側の外装材１Ｂの上縁部１ａが、水平部支持部５９の前面と、水平部５５の裏面と、前面板部５７の裏面とで形成される空間内に嵌合するようにして位置決めをし、その状態でビス孔６０を利用して固定する。
【００１１】
所要個数の取付金具５０を同様にして水平方向に所定間隔で固定した後、上側の外装材１Ａの下縁部１ｂの切り込み部１ｃに取付金具５０の立ち上がり部５６，５６が入り込むようにして、必要枚数横方向に配置する。配置した上側の外装材１Ａを、今度は下側の外装材１として、さらに、その上縁部１ａに前記と同様にして取付金具５０を取り付けた後、ビスにて固定する。以下、必要な段数だけ同じ工程を繰り返すことにより、外装材１の施工は完成する。
【００１２】
図１２に示すように、取り付けた外装材１の裏面と建物躯体４１との間には、取付金具５０の左右の側縁に形成した側板部５２により、その高さ分の空間Ｓが形成されるので、外装材裏面の通気は良好となり、結露などの不都合が生じることはない。取り付けた上側の外装材１Ａの重みにより支承部５４の水平部５５が下方に向けて変位しようとしても、水平部５５の裏面に位置する水平部支持部５９の上端が水平部５５の裏面に当接することから、その変形は阻止される。
【００１３】
図１３は、取付金具５０の他の従来例を示す斜視図である。図１３に示す取付金具５０においては、外装材裏面支持部５３は下端まで伸びており、図１０に示す取付金具５０と異なり、水平部５５を支持するための板状の水平部支持部５９は形成されていないが、その代わり、側板部５２，５２に内方に突出する突起６１，６１を形成している。
【００１４】
図１４は、図１３のXIV-XIV線矢視図であり、水平部５５と、一方の突起６１との関係を示す図である。図１４に示すように、突起６１は水平部５５の端部の裏面直下に位置し、水平部５５は、側板部５２，５２に形成された突起６１，６１によって支持されるようになっている。図１３に示す取付金具５０のその他の構成は、図１０に示す取付金具５０と同様である。
【発明の開示】
【発明が解決しようとする課題】
【００１５】
図１０および図１３に示す従来の取付金具５０は、水平部５５の下方に水平部５５を支持する板状の水平部支持部５９，５９(図１０に示す取付金具)又は突起６１，６１（図１３に示す取付金具）を備えており、これら水平部支持部５９，突起６１は、上側の外装材１Ａにより加わる力（上方から下方に向かう力）を水平部５５が受ける場合にきわめて有効である。しかしながら、本件発明者らは、従来の取付金具について研究を重ねた結果、地震が起きた場合には、上下方向に揺れる強い縦揺れが起こることがあり、この場合に下側の外装材１Ｂにより下方から突き上げる強い力が水平部５５にかかり、水平部５５が上方に折れ曲がる危険性があることを究明した。
【００１６】
本発明は、上述の事情に鑑みなされたもので、外装材を支持する水平部に、地震などによって、下方から突き上げる強い力が加わった場合においても、水平部が上方に折れ曲がることがない外装材の取付金具を提供することを目的とする。
【課題を解決するための手段】
【００１７】
上述の目的を達成するためには、本発明は、一枚の金属板を折り曲げ加工して形成され、建物の外壁面に板状の外装材を取り付けるための取付金具であって、建物躯体側への固定部である基板部と、基板部の左右側端部における側板部と、側板部の先端を基板部とほぼ平行に折り曲げて形成した上下方向の外装材裏面支持部と、基板部の下端から水平方向に折り曲げて形成した水平部とを備え、前記側板部および外装材裏面支持部の少なくとも一方に切り込みを形成し、該切り込みに前記水平部の両端部を嵌入させたことを特徴とするものである。
【００１８】
本発明によれば、取付金具は、基板部を利用して建物躯体に固定され、取付金具により、上下２枚の外装材の上下縁部を支持する。その際に、上側の外装材の下縁部が水平部の表面に支持され、下側の外装材の上縁部が水平部の裏面に支持される。上側の外装材の重みにより水平部が下方に向けて変位しようとしても、水平部の両端部が剛性が高い側板部及び／又は外装材裏面支持部の切り込みに嵌り込んでいるため、その変形は阻止される。また、地震などによって、水平部に下方から突き上げる強い力が加わった場合においても、水平部の両端部が側板部及び／又は外装材裏面支持部の切り込みに嵌り込んでいるため、水平部が上方に折れ曲がることがない。
【００１９】
本発明の１態様によれば、前記切り込みは、前記側板部と外装材裏面支持部にまたがって形成されていることを特徴とする。
本発明の１態様によれば、前記切り込みは、前記外装材裏面支持部の端部まで伸びていることを特徴とする。
【００２０】
本発明の１態様によれば、前記水平部の左右の先端から斜め上方に折り曲げて形成した立ち上がり部を備えたことを特徴とする。
本発明によれば、上側の外装材の下縁部に形成された切り込み部に取付金具の立ち上がり部が入り込むことにより、上側の外装材が支持される。
【００２１】
本発明の１態様によれば、前記水平部の中央部の先端から斜め下方に折り曲げて形成した前面板部を備えたことを特徴とする。
本発明によれば、下側の外装材の上縁部が取付金具の前面板部に当接することにより、下側の外装材が支持される。
【００２２】
本発明の１態様によれば、前記外装材裏面支持部の下端に、前記基板部と反対側に折り曲げて前方に突出する突出部を形成し、該突出部は外装材を取り付けたとき外装材の裏面に圧接するようになっていることを特徴とする。
本発明によれば、外装材裏面支持部の下端に形成した突出部が外装材の裏面に圧接されることにより、外装材の横ずれが防止される。
【発明の効果】
【００２３】
本発明によれば、取り付けた上側の外装材の重みにより取付金具の水平部が下方に向けて変位しようとしても、水平部の両端部が、きわめて剛性が高い側板部及び／又は外装材裏面支持部に嵌り込んでいるため、その変形を阻止することができる。そして、地震などによって、水平部に下方から突き上げる強い力が加わった場合においても、水平部の両端部が、きわめて剛性が高い側板部及び／又は外装材裏面支持部に嵌り込んでいるため、水平部が上方に折れ曲がることがない。
【発明を実施するための最良の形態】
【００２４】
以下、本発明に係る外装材の取付金具の実施形態を図１乃至図８を参照して説明する。なお、図１乃至図８中、同一の作用または機能を有する部材または要素には、同一の符号を付して重複した説明を省略する。図１乃至図５は、本発明に係る外装材の取付金具の第１の実施形態を示す図である。図１は、本発明の外装材の取付金具の斜視図であり、図１０に対応する図である。図２は、図１に示す取付金具の展開図である。
【００２５】
取付金具１０は、例えばステンレス鋼板あるいは合金メッキ鋼板などの一枚の金属板からの打ち抜きと折り曲げ加工により形成される。図２の展開図において、折り曲げ加工の際の折り曲げ線は、一点鎖線で示している。取付金具１０は、躯体側への固定部となる平板状の基板部１１と、基板部１１の左右方向の両端をほぼ９０゜折り曲げて形成した上下方向の側板部１２，１２と、該側板部１２，１２の先端を基板部１１とほぼ平行となるように外側に折り曲げて形成した上下方向の外装材裏面支持部１３，１３とを備えている。なお、側板部１２，１２の上端も、ほぼ９０°外方に折り曲げて外装材裏面支持部１３，１３に連なる折曲部２１，２１を形成している。
【００２６】
さらに、取付金具１０は、基板部１１の下側の領域を折り曲げ加工して形成した支承部１４を備えている。支承部１４は、上下２枚の外装材（外壁材）１の上下縁部を支持する機能を有している。
【００２７】
支承部１４は、基板部１１の下端部を前方に９０゜折り曲げて形成した水平部１５と、該水平部１５の左右の先端から斜め上方に折り曲げて形成した左右の立ち上がり部１６，１６と、該水平部１５の中央部の先端から斜め下方に折り曲げて形成した前面板部１７とで構成されている。水平部１５は、外装材１の下端を支持する機能を有している。
【００２８】
左右の外装材裏面支持部１３，１３は同一の形状であり、次のようにして形成される。すなわち、基板部１１から側板部１２を折り曲げて、さらに側板部１２の前端側を基板部１１と平行となるように外側に向けて折り曲げて外装材裏面支持部１３を形成している。
【００２９】
側板部１２と外装材裏面支持部１３との折曲部には、側板部１２と外装材裏面支持部１３とにまたがるように切り込み２２が形成されている。そして、この切り込み２２内に、水平部１５の端部１５ａが嵌入されている。
外装材裏面支持部１３の下端に、基板部１１から離間する方向に折曲されてわずかに前方に突出する突出部１３ａを形成している。突出部１３ａは、外装材１を取り付けたとき外装材１に圧接するようになっている。このように、突出部１３ａが外装材１の裏面に圧接されることにより、外装材１の横ずれが防止される。
【００３０】
図３は、図１のIII-III線矢視図であり、水平部１５と、側板部１２と外装材裏面支持部１３に形成された切り込み２２との関係を示す図である。図３に示すように、切り込み２２は、側板部１２と外装材裏面支持部１３とにまたがるように形成されている。そして、切り込み２２に水平部１５の端部１５ａが嵌り込んでいる。切り込み２２の高さｈと水平部１５の板厚ｔとは、概略同一寸法で切り込み２２と水平部１５との間にガタがないように設定されている。したがって、水平部１５の両端部１５ａ，１５ａは、きわめて剛性が高い側板部１２と外装材裏面支持部１３に嵌り込む形態となっているため、外装材１を支持する水平部１５に、地震などによって、下方から突き上げる強い力が加わった場合においても、水平部１５が上方に折れ曲がることがない。
【００３１】
図４は、図１のIV-IV線矢視図であり、水平部１５より下方に折曲した後面板部を示す図である。図４に示すように、水平部１５の一部は、下方に折り曲げられて前面板部１７と対向するように後面板部２４を形成している。
【００３２】
また外装材裏面支持部１３は、基板部１１と平行状態とされており、外装材１を取り付けた状態では、当該外装材１の裏面側を支承する機能を果たすことができる。
【００３３】
図１に示す取付金具１０においては、基板部１１には、固定用のビス孔２０が形成されている。また、ビス孔２０の上方には、基板部１１および側板部１２にわたるようにして補強用のリブ１１ｂが水平方向に形成されており、基板部１１と水平部１５のコーナー部にも同様に補強用のリブ１１ｃが形成されている。さらに、側板部１２にも横方向に補強用のリブ１２ａが形成されている。基板部１１は支承部１４を構成する水平部１５の領域に一部入り込んだ部分１１ａを有しており、基板部１１の有効面積を大きくして、建物躯体への取り付け時の安定性を確保するようにしている。
【００３４】
図５は、図１に示す取付金具（留め付け金具）１０を用いて外装材（サイディング）１を取り付けた状態を示す断面図である。図５に示すように、取付金具１０は、基板部１１に形成したビス孔２０を利用して、建物躯体４１にビス４３によって固定される。これにより、取付金具１０により、上下２枚の外装材１Ａ，１Ｂの上下縁部を支持するようになっている。その際に、下側の外装材１Ｂの上縁部１ａが、水平部１５の裏面と、前面板部１７の裏面と、後面板部２４の前面とで形成される空間内に嵌合するようにして位置決めをし、その状態でビス孔２０を利用して固定する。
【００３５】
所要個数の取付金具１０を同様にして水平方向に所定間隔で固定した後、上側の外装材１Ａの下縁部１ｂの切り込み部１ｃに取付金具１０の立ち上がり部１６，１６が入り込むようにして、必要枚数横方向に配置する。配置した上側の外装材１Ａを、今度は下側の外装材１として、さらに、その上縁部１ａに前記と同様にして取付金具１０を取り付けた後、ビスにて固定する。以下、必要な段数だけ同じ工程を繰り返すことにより、外装材１の施工は完成する。
【００３６】
図５に示すように、取り付けた外装材１の裏面と建物躯体４１との間には、取付金具１０の左右の側縁に形成した側板部１２により、その高さ分の空間Ｓが形成されるので、外装材裏面の通気は良好となり、結露などの不都合が生じることはない。取り付けた上側の外装材１Ａの重みにより支承部１４の水平部１５が下方に向けて変位しようとしても、水平部１５の両端部１５ａ，１５ａが、きわめて剛性が高い側板部１２および外装材裏面支持部１３に嵌り込んでいるため、その変形は阻止される。また、地震などによって、水平部１５に下方から突き上げる強い力が加わった場合においても、水平部１５の両端部１５ａ，１５ａが、きわめて剛性が高い側板部１２および外装材裏面支持部１３に嵌り込んでいるため、水平部１５が上方に折れ曲がることがない。
【００３７】
図６乃至図８は、本発明に係る外装材の取付金具の第２の実施形態を示す図である。図６は、本発明の第２の実施形態における外装材の取付金具１０を示す斜視図であり、図１に対応する図である。図７は、図６に示す取付金具の展開図であり、図２と同様に折り曲げ線は、一点鎖線で示している。図６に示す取付金具１０においては、外装材裏面支持部１３，１３は、基板部１１とほぼ平行になるように内側に折り曲げて形成している。また側板部１２と外装材裏面支持部１３との折曲部に形成された切り込み２２は、側板部１２の先端まで伸びている。すなわち、切り込み２２は、側板部１２の途中から外装材裏面支持部１３の端部まで伸び、外装材裏面支持部１３の端部で開口している。切り込み２２内に、水平部１５の端部１５ａが嵌入していることは、図１に示す取付金具と同様である。
【００３８】
図８は、図６のVIII-VIII線矢視図で図３に対応する図であり、水平部１５と、側板部１２と外装材裏面支持部１３に形成された切り込み２２との関係を示す図である。
図８に示すように、切り込み２２は、側板部１２と外装材裏面支持部１３とにまたがるように形成されており、また切り込み２２は外装材裏面支持部１３の端部まで伸びている。そして、切り込み２２に水平部１５の端部１５ａが嵌り込んでいる。切り込み２２の高さｈと水平部１５の板厚ｔとは、概略同一寸法で切り込み２２と水平部１５との間にガタがないように設定されている。したがって、水平部１５の両端部１５ａ，１５ａは、きわめて剛性が高い側板部１２と外装材裏面支持部１３に嵌り込む形態となっているため、外装材１を支持する水平部１５に、地震などによって、下方から突き上げる強い力が加わった場合においても、水平部１５が上方に折れ曲がることがない。図６乃至図８に示す取付金具１０のその他の構成は、図１乃至図５に示す取付金具１０と同様である。
【図面の簡単な説明】
【００３９】
【図１】図１は、本発明の外装材の取付金具の斜視図である。
【図２】図２は、図１に示す取付金具の展開図である。
【図３】図３は、図１のIII-III線矢視図であり、水平部と、側板部と外装材裏面支持部に形成された切り込みとの関係を示す図である。
【図４】図４は、図１のIV-IV線矢視図であり、水平部より下方に折曲した後面板部を示す図である。
【図５】図５は、図１に示す取付金具（留め付け金具）を用いて外装材（サイディング）を取り付けた状態を示す断面図である。
【図６】図６は、本発明の第２の実施形態における外装材の取付金具を示す斜視図であり、図１に対応する図である。
【図７】図７は、図６に示す取付金具の展開図である。
【図８】図８は、図６のVIII-VIII線矢視図で図３に対応する図であり、水平部と、側板部と外装材裏面支持部に形成された切り込みとの関係を示す図である。
【図９】図９は、外装材（サイディング）を取付金具を用いて建物の外壁に取り付ける状態を示す斜視図である。
【図１０】図１０は、従来の取付金具（留め付け金具）を示す斜視図である。
【図１１】図１１は、図１０のXI-XI線矢視図であり、水平部と、一方の水平支持部との関係を示す図である。
【図１２】図１２は、図１０に示す取付金具（留め付け金具）を用いて外装材（サイディング）を取り付けた状態を示す断面図である。
【図１３】図１３は、取付金具の他の従来例を示す斜視図である。
【図１４】図１４は、図１３のXIV-XIV線矢視図であり、水平部と、一方の突起との関係を示す図である。
【符号の説明】
【００４０】
１    外装材（サイディング）
１ａ  上外壁板
１ｂ  下外装材
２    上縁部の実部
２ａ  上縁下実部
３    下縁部の実部
４    切り込み部
１０  取付金具（留め付け金具）
１１  基板部
１１ａ  部分
１１ｂ，１１ｃ，１２ａ  リブ
１２  側板部
１３  外装材裏面支持部
１４  支承部
１５  水平部
１５ａ  両端部
１６  立ち上がり部
１７  前面板部
１８  切り欠き
１９  水平部支持部
２０  ビス孔
２２  切り込み
２４  後面板部
４１  建物躯体
４３  ビス
５０  取付金具（留め付け金具）
５１  基板部
５１ｂ，５１ｃ，５２ａ  リブ
５２  側板部
５３  外壁板裏面支持部
５４  支承部
５５  水平部
５６  立ち上がり部
５７  前面板部
５７ａ  折曲部
５８  切り欠き
５９  水平部支持部
６０  ビス孔
６１  突起
【図１】
2008261125.tif 000003
【図２】
2008261125.tif 000004
【図３】
2008261125.tif 000005
【図４】
2008261125.tif 000006
【図５】
2008261125.tif 000007
【図６】
2008261125.tif 000008
【図７】
2008261125.tif 000009
【図８】
2008261125.tif 000010
【図９】
2008261125.tif 000011
【図１０】
2008261125.tif 000012
【図１１】
2008261125.tif 000013
【図１２】
2008261125.tif 000014
【図１３】
2008261125.tif 000015
【図１４】
2008261125.tif 000016